(57)【要約】【課題】潤滑油組成物においては、油面上の泡に対する消泡と、油中の泡に対する消泡の両者を効果的に行う必要がある。【解決手段】２５℃における粘度が１０，０００〜６０，０００ｍｍ２／ｓのポリジメチルシロキサンと、重量平均分子量が４，０００〜１５０，０００のポリアクリレート系消泡剤を用意する。潤滑油中に、上記ポリジメチルシロキサンをＳｉ換算で０．１〜３０ｐｐｍ含有させると共に、上記ポリアクリレート系消泡剤をポリジメチルシロキサンのＳｉ換算量（ｐｐｍ）の６０倍以上を含有させる。これによって、油面上の泡の消泡性と油中の泡の消泡性を兼ね備えた潤滑油組成物とする。【選択図】なし【特許請求の範囲】
【請求項１】
鉱油及び／または合成油と、２５℃における粘度が１０，０００〜６０，０００ｍｍ２／ｓのポリジメチルシロキサンをＳｉ換算で０．１〜３０ｐｐｍと、重量平均分子量が４，０００〜１５０，０００のポリアクリレート系消泡剤を上記ポリジメチルシロキサンのＳｉ換算量（ｐｐｍ）の６０倍以上含有することを特徴とする潤滑油組成物。
【請求項２】
上記ポリジメチルシロキサンは、灯油、軽油その他の有機溶剤で希釈し、この稀釈液を攪拌機により８，０００回転／分以上で1分以上攪拌し、ポリジメチルシロキサンの平均粒子径をＰＩＤＳ（Polarization Intensity Differential  Scattering  Technology）を利用した測定器で０．１μｍ以下にした請求項１に記載の潤滑油組成物。
【請求項３】
上記ポリジメチルシロキサンは、灯油、軽油その他の有機溶剤で希釈し、この稀釈液を攪拌機により２０，０００回転／分以上で５分以上攪拌し、ポリジメチルシロキサンの平均粒子径をＰＩＤＳ（Polarization Intensity Differential Scattering Technology）を利用した測定器で０．１μｍ以下にした請求項２に記載の潤滑油組成物。
【請求項４】
２５℃における粘度が１０，０００〜６０，０００ｍｍ２／ｓのポリジメチルシロキサンを灯油、軽油その他の有機溶剤で希釈し、この稀釈液を攪拌機により８，０００回転／分以上で１分以上攪拌して、ポリジメチルシロキサンの平均粒子径をＰＩＤＳ（Polarization Intensity Differential Scattering Technology）を利用した測定器で０．１μｍ以下にし、このポリジメチルシロキサンをＳｉ換算で０．１〜３０ｐｐｍとなるように鉱油及び／又は合成油の基油に添加し、さらに、重量平均分子量が４，０００〜１５０，０００のポリアクリレート系消泡剤を上記ポリジメチルシロキサンのＳｉ換算量（ｐｐｍ）の６０倍以上を上記基油に添加することを特徴とする潤滑油組成物の製造方法。
【請求項５】
上記基油は、ＡＰＩ（ＡｍｅｒｉｃａｎＰｅｔｒｏｌｅｕｍＩｎｓｔｉｔｕｔｅ，米国石油協会）基油カテゴリーでグループ２またはグループ３に分類されるものである請求項４に記載の潤滑油組成物の製造方法。
【発明の詳細な説明】
【技術分野】
【０００１】
本発明は、潤滑油組成物及びその製造方法に関し、効果的な消泡性を有するものに関する。
【背景技術】
【０００２】
最近では自動車を始め、産業用の各種機械類は、小型で効率の高い機械となってきているが、それにつれて、機械類に使用される潤滑油の使用環境が厳しくなっている。
例えば、機械類が小型化したために潤滑油のタンクも小型になり、油量が少なくなった結果，オイルの受けるストレスは大きくなり、劣化速度が速くなって、潤滑性能ばかりでなく消泡性能が早期に失われるようになってきた。具体的には、オイルタンクからの油面上昇による泡の吹き出し、あるいは高圧ポンプにおける空気巻き込みによるキャビテーションによって、不快な異常音などが発生する。特に、自動車の場合は変速機から発生する泡が原因となって、潤滑油がエンジン室内に噴出することがあり、火災の発生の危険が生じる。
【０００３】
また、自動車の高品質化に伴って、静音化は重要な位置付けになって来ており、上記の如く変速機から不快な異常音が発生すると自動車そのものの商品価値が下がるばかりでなく、泡が潤滑部分に巻き込まれて焼き付き、摩耗を起こすこともあるため、この点からも長期に消泡性を維持することが潤滑油に求められるようになってきている。
【０００４】
こうした潤滑油における消泡性については、油面上の泡に対する消泡と、油中の泡に対する消泡の両者に対する対策が必要とされるが、油面上の泡の消泡性と油中の泡の消泡性を同時に行うことには困難が伴い、明確な対処法がなかなか見つけられないでいた。（非特許文献１）
すなわち、ジメチルポリシロキサン系の消泡剤は油面上の泡を消すのに有効である反面で、添加量が多くなると油中の泡を小型化して安定化させる結果、油中の泡が却って消えなくなる傾向がある。一方、ポリアクリレート系ポリマーの消泡剤は、油中の泡を不安定化するために放気性の消泡剤として使用されてきたが、この消泡剤は油面上の泡を逆に安定化させる傾向にあった。
【非特許文献１】「潤滑油の消泡」岡田美津男著、油化学、４２巻１０号（１９９３）、８０７〜８１０頁
【発明の開示】
【発明が解決しようとする課題】
【０００５】
本発明は、上記観点からなされたもので、潤滑油組成物において、油面上の泡に対する消泡と、油中の泡に対する消泡の両者を効果的に行い、長期に渡り、油面上および油中の優れた消泡性を維持できる潤滑油組成物及び、その効率的な製造方法を提供しようとするものである。
【課題を解決するための手段】
【０００６】
本発明は、潤滑油中に、２５℃における粘度が１０，０００〜６０，０００ｍｍ２／ｓのポリジメチルシロキサンをＳｉ換算で０．１〜３０ｐｐｍ含有させると共に、重量平均分子量が４，０００〜１５０，０００のポリアクリレート系消泡剤を上記ポリジメチルシロキサンのＳｉ換算量（ｐｐｍ）の６０倍以上を含有させることによって、油面上の泡の消泡性と油中の泡の消泡性を兼ね備えた潤滑油組成物とするものである。
【０００７】
また、上記ポリジメチルシロキサンを灯油、軽油その他の有機溶剤で希釈し、この稀釈液を攪拌機により８，０００回転／分以上で１分以上攪拌して、ポリジメチルシロキサンの平均粒子径をＰＩＤＳ（Polarization Intensity Differential Scattering Technology）を利用した測定器で０．１μｍ以下にし、このポリジメチルシロキサンをＳｉ換算で０．１〜３０ｐｐｍとなるように鉱油及び／又は合成油の基油に添加し、さらに、重量平均分子量が４，０００〜１５０，０００のポリアクリレート系消泡剤を上記ポリジメチルシロキサンのＳｉ換算量（ｐｐｍ）の６０倍以上となるように上記基油に添加することによって、上記した油面上の泡の消泡性と油中の泡の消泡性を兼ね備えた潤滑油組成物を容易に製造するものである。
【発明の効果】
【０００８】
本発明によれば、一定粘度のポリジメチルシロキサンと、一定分子量のポリアクリレート系消泡剤を一定の比率で組み合わせて潤滑油中に添加することによって、油面上の泡に対する消泡と油中の泡に対する消泡の両者を効果的に行うことができる。
また、ポリジメチルシロキサンを稀釈剤とともに高速攪拌して細粒化し、ポリアクリレート系消泡剤と混合することによって、長期間に亘って消泡効果を維持することができ、長寿命の消泡性を備えた潤滑油組成物を効率的に得ることができる。
【発明を実施するための最良の形態】
【０００９】
本発明の潤滑油組成物における基油には、通常の潤滑油に使用される鉱油、合成油、これらの混合物を使用することができ、特に、ＡＰＩ（Ａｍｅｒｉｃａｎ  Ｐｅｔｒｏｌｅｕｍ  Ｉｎｓｔｉｔｕｔｅ；米国石油協会）基油カテゴリーでグループ１、グループ２、グループ３、グループ４などに属する基油を、単独または混合物として使用することができる。
【００１０】
グループ１基油には、例えば、原油を常圧蒸留して得られる潤滑油留分に対して、溶剤精製、水素化精製、脱ろうなどの精製手段を適宜組合せて適用することにより得られるパラフィン系鉱油がある。
粘度指数は８０〜１２０、好ましくは９５〜１１０がよい。４０℃における動粘度は、好ましくは２〜６８０ｍｍ２／ｓ、より好ましくは８〜２２０ｍｍ２／ｓである。また全硫黄分は７００ｐｐｍ未満、好ましくは５００ｐｐｍ未満がよい。全窒素分も５０ｐｐｍ未満、好ましくは２５ｐｐｍ未満がよい。さらにアニリン点は８０〜１５０℃、好ましくは９０〜１２０℃のものを使用するのがよい。
【００１１】
グループ２基油には、例えば、原油を常圧蒸留して得られる潤滑油留分に対して、水素化分解、脱ろうなどの精製手段を適宜組合せて適用することにより得られたパラフィン系鉱油がある。ガルフ社法などの水素化精製法により精製されたグループ２基油は、全イオウ分が１０ｐｐｍ未満、アロマ分が５％以下であり、本発明において好適に用いることができる。
これらの基油の粘度は特に制限されないが、粘度指数は９０〜１２５、好ましくは１００〜１２０がよい。４０℃における動粘度は、好ましくは２〜６８０ｍｍ２／ｓ、より好ましくは８〜２２０ｍｍ２／ｓである。また全硫黄分は７００ｐｐｍ未満、好ましくは５００ｐｐｍ未満、更に好ましくは１０ｐｐｍ未満がよい。全窒素分も１０ｐｐｍ未満、好ましくは１ｐｐｍ未満がよい。さらにアニリン点は８０〜１５０℃、好ましくは１００〜１３５℃のものを使用するのがよい。
【００１２】
グループ３基油及びグループ２プラス基油には、例えば、原油を常圧蒸留して得られる潤滑油留分に対して、高度水素化精製により製造されるパラフィン系鉱油や、脱ろうプロセスにて生成されるワックスをイソパラフィンに変換・脱ろうするＩＳＯＤＥＷＡＸプロセスにより精製された基油や、モービルＷＡＸ異性化プロセスにより精製された基油があり、これらも本発明において好適に用いることができる。
これらの基油の粘度は特に制限されないが、粘度指数は９５〜１４５、好ましくは１００〜１４０がよい。４０℃における動粘度は、好ましくは２〜６８０ｍｍ２／ｓ、より好ましくは８〜２２０ｍｍ２／ｓである。また全硫黄分は、０〜１００ｐｐｍ、好ましくは１０ｐｐｍ未満がよい。全窒素分も１０ｐｐｍ未満、好ましくは１ｐｐｍ未満がよい。さらにアニリン点は８０〜１５０℃、好ましくは１１０〜１３５℃のものを使用するのがよい。
【００１３】
合成油としては、例えば、ポリオレフィン、アルキルベンゼン、アルキルナフタレン、エステル、ポリオキシアルキレングリコール、ポリオキシアルキレングリコールエステル、ポリオキシアルキレングリコールエーテル、ポリフェニルエーテル、ジアルキルジフェニルエーテル、含フッ素化合物（パーフルオロポリエーテル、フッ素化ポリオレフィン等）、シリコーン油などが挙げられる。
【００１４】
上記ポリオレフィンには、各種オレフィンの重合物、又はこれらの水素化物が含まれる。オレフィンとしては任意のものが用いられるが、例えば、エチレン、プロピレン、ブテン、炭素数５以上のα−オレフィンなどが挙げられる。ポリオレフィンの製造にあたっては、上記オレフィンの１種を単独で用いてもよく、２種以上を組み合わせて用いてもよい。特にポリα−オレフィン（ＰＡＯ）と呼ばれているポリオレフィンが好適であり、これはグループ４基油である。
これら合成基油の粘度は特に制限されないが、４０℃における動粘度は、好ましくは２〜６８０ｍｍ２／ｓ、より好ましくは８〜２２０ｍｍ２／ｓである。
【００１５】
天然ガスの液体燃料化技術のフィッシャートロプッシュ法により合成されたＧＴＬ（ガストゥリキッド）は、原油から精製された鉱油基油と比較して、硫黄分や芳香族分が極めて低く、パラフィン構成比率が極めて高いため、酸化安定性に優れ、蒸発損失も非常に小さいことから、本発明の基油として好適に用いることができ、これはグループ３基油である。
ＧＴＬ基油の粘度性状は特に制限されないが、通例、粘度指数は１３０〜１８０、より好ましくは１４０〜１７５である。また４０℃における動粘度は、２〜６８０ｍｍ２／ｓ、より好ましくは５〜１２０ｍｍ２／ｓである。また、通例、全硫黄分は１０ｐｐｍ未満、全窒素分１ｐｐｍ未満である。そのようなＧＴＬ基油商品の一例として、ＳＨＥＬＬ  ＸＨＶＩ（登録商標）がある。
【００１６】
上記基油は、その粘度が一般に低い方が泡の排液速度が大きくなるため好ましいと言えるが、本発明においては上記したように消泡剤が配合されるので、この点に関する基油の影響は基本的に小さいと考えることができる。その中で、通常は１００℃における動粘度が１〜５０ｍｍ２／ｓ、特に２〜１５ｍｍ２／ｓの範囲にあるものが好適である。
【００１７】
この基油の％ＣA は、酸化安定性の点から２０以下であるものが好ましく、更に１０以下であるものが好ましい。また、低温流動性の指標である流動点については特に制限はないが、−１０℃以下であるのが好ましく、特に−１５℃以下であるものが好ましい。そして、粘度指数は高温時の粘度を高く保つ上で１００以上が好ましい。
【００１８】
本発明の潤滑油組成物を構成する消泡剤のポリジメチルシロキサンは、下記式（Ｉ）で表される。
【化１】
2008120996.tif 000002
（上記式Ｉにおいて、ｎは正の整数で粘度に対応する値である。）
【００１９】
上記ポリジメチルシロキサンは、２５℃における動粘度が約１０，０００〜６０，０００ｍｍ２ ／ｓ程度が好ましい。もちろん上記粘度以下のポリジメチルシロキサンを含むことが排除されるものではないが，含有量が多くなると潤滑油が濁ったり、あるいは潤滑油中に分散することができず沈降したりするために、そうしたことが起こらないような適当な含有量に留めることが必要である。
【００２０】
このポリジメチルシロキサンは、単独で、あるいは粘度の異なった二種以上のものを組み合わせて使用することができる。
その使用量については、基油に、Ｓｉ換算で、組成物全量を基準として、約０．１〜３０ｐｐｍ（重量ｐｐｍ：以下同じ）の割合で配合される。０．１ｐｐｍ未満では消泡性の効果がでない場合があり、３０ｐｐｍを超えると潤滑油組成物が濁ったり、逆に消泡効果がでない場合がある。より好ましくは、約３〜１０ｐｐｍの範囲である。
【００２１】
上記ポリジメチルシロキサンと共に、ポリアクリレート系の消泡剤が使用される。このポリアクリレートとしては、分子量が約４，０００〜１５０、０００程度のものを使用するとよい。その使用量は、上記したポリジメチルシロキサンのＳｉ量（ｐｐｍ）に対して６０倍以上となるような添加量（ｐｐｍ）で併用するようにするとよい。また、通常の添加量の範囲であれば上限は特に規制されないが、抗乳化性の低下が問題となることがあり０．５重量％以下になるようにすると好ましいことが多く、更に好ましくは０．２重量％以下である。
【００２２】
本発明の潤滑油組成物は、上記したように基油に、ポリジメチルシロキサン成分と、ポリアクリレート成分を配合することにより得られるが、さらに潤滑油の用途に応じて、その特性向上のために通常使用される金属系清浄剤、無灰系分散剤、酸化防止剤、摩擦調整剤、金属不活性化剤、粘度指数向上剤、流動点降下剤などの公知の添加剤を、本発明の目的を阻害しない範囲で適宜配合することができる。
これらの追加的な添加剤は、その全配合量を組成物全量基準で、通常、約０．０５〜２５重量％程度の範囲にすることが好ましい。
【００２３】
上記したポリジメチルシロキサンを基油に配合する場合、予め溶剤に分散させてから配合するようにすると好ましい。
このポリジメチルシロキサンは、上記溶剤にその必要量を加えて、ホモジナイザー等の攪拌機によって８，０００回転／分以上の高速回転で１分以上攪拌する。好ましくは、２０，０００回転／分以上で５分以上攪拌するようにする。
こうした攪拌によって、溶剤中のポリジメチルシロキサンは細粒化されて粒子サイズが小さくなり、ポリジメチルシロキサンの平均粒子径を０．1μｍ以下にすることが出来る。この平均粒子径は、ＰＩＤＳ（Polarization Intensity Differential  Scattering
Technology：偏光散乱強度差）を利用した測定器で測定した場合のものである。
【００２４】
上記分散用の溶剤は，低粘度で、基油に溶解し、かつ加温後は容易に蒸発して基油中に残らないようなものがよい。
こうした溶剤としては、例えば、ＪＩＳ  Ｋ２２０３に規定される灯油、或いはＪＩＳ  Ｋ２２０４に規定される軽油のように、引火点が４０℃以上で、取扱がガソリンと比べて安全なもので、また、粘度が低く、上記ホモジナイザーなどの攪拌機によって容易に攪拌することが出来るようなものがよい。
【００２５】
そして、この溶媒は、鉱油あるいは合成油の基油に容易に溶解することができるものであり、さらに後記するように、ポリジメチルシロキサンを分散させた溶媒と上記ポリアクリレートを基油に添加して攪拌し、消泡剤を基油中に分散させながら約６０℃前後まで加温した場合に、上記溶媒が容易に蒸発して系外に大半が離散し、潤滑油組成物中に残存しないようなものであることが望ましい。この溶媒が残っていると，潤滑油組成物の引火点を下げたり、動粘度を低下させて潤滑性能や酸化安定性を低下させる虞れがある。
ここで使用される溶剤は、上記の灯油や軽油に限定されるものではなく，その他の石油系溶剤やエステルなどの有機溶剤で、上記の要求を満足するものであれば適宜使用することができる。更に、動粘度低下分を考慮して、配合することが可能であればＰＡＯ（ポリアルファーオレフィン）などの合成油も使用することができる。
【００２６】
上記溶媒中に細かく砕いて分散させたポリジメチルシロキサンと上記ポリアクリレートは、上記した基油中に加えて、消泡剤が基油中全体に均一状態に分散するように混合、攪拌する。上記ポリジメチルシロキサンの添加量は、Ｓｉ換算により０．１〜３０ｐｐｍとなるように基油に添加する。また、上記ポリアクリレートは、上記のポリジメチルシロキサンのＳｉ換算量（ｐｐｍ）に対して６０倍以上となるような量を添加する。
【００２７】
上記消泡剤の基油中への混合、攪拌は、ジェット攪拌その他の適宜の方法で混ぜ合わせることができ、上記したように、攪拌によって消泡剤を基油中に分散させながら約６０℃前後まで加温し、これによって、ポリジメチルシロキサンを分散させていた上記溶媒を蒸発させて系外に離散させ、潤滑油組成物中に残存しないようにして、ポリジメチルシロキサン及びポリアクリレートが均一状態に分散、混合されている潤滑油組成物を得ることができる。
上記したものでは、ポリジメチルシロキサンを溶媒中に分散させることのよって、ポリジメチルシロキサンの平均粒子径を０．１μｍ以下にしているが、基油中に混合、分散させた後に、平均粒子径が０．１μｍ以下になるようにするようにしてもよい。
【００２８】
こうしたポリジメチルシロキサンとポリアクリレートを含有する潤滑油組成物では、ポリジメチルシロキサンが潤滑油組成物中に細粒化されて分散されているので、同じ添加量であっても粒子数が増加する結果、潤滑油組成物から発生する泡と接触する確率が増え、これによって消泡効果を効果的に発揮することができる。
上記ポリジメチルシロキサンは、油面上の泡の表面に吸着し、泡の間に入り込んで泡を破泡する機能を有しているため、特に油面上の泡を効果的に消泡することができる。しかし、潤滑油組成物中に混入した泡の場合は、ポリジメチルシロキサンが油中の泡を破泡すると大きな泡がつぶれて小さくなり、泡自体の浮力が一層小さくなって長時間、油中に留まることになり、油中の泡を安定化してしまう欠点がある。
【００２９】
一方、上記ポリジメチルシロキサンに対して、一定濃度で併存しているポリアクリレートは、潤滑油組成物の中にある泡同士を合一させることによって泡のサイズを大きくすることができ、これによって泡の浮力が大きくなり、油面上に早く浮き上がらせるようになる。そして、油面上に達したら、上記ポリジメチルシロキサンによって破泡することができるから、潤滑油組成物の表面上および油中の泡のいずれについても、効果的に取り除くことができる。
【実施例】
【００３０】
本発明を実施例によりさらに詳しく説明するが、本発明はこれらの例によってなんら限定されるものではない。
（基油）
基油１：  ＡＰＩ基油テゴリー；グループ２、製造方法；水素化精製、４０℃の動粘度；２０.１２ｍｍ２／ｓ、１００℃の動粘度；４.１３６ｍｍ２／ｓ、粘度指数；１０７、密度（１５℃）；０.８５、引火点（ＦＰ）；１９８℃
基油２：  ＡＰＩ基油テゴリー；グループ３、製造方法；ガス・ツー・リキッド、４０℃の動粘度；１６.８９ｍｍ２／ｓ、１００℃の動粘度；４.０２３ｍｍ２／ｓ、粘度指数；１４２、密度（１５℃）；０.８２、引火点（ＦＰ）；２２４℃
（ポリジメチルシロキサン分散液の調製）
下記の材料を用意して、表１に示すポリジメチルシロキサン分散液を調製した。
ポリジメチルシロキサン：東レシリコン（株）製・ＳＨ２００
溶媒１：灯油
溶媒２：軽油
溶媒３：ＰＡＯ２（１００℃の動粘度；２．０ｍｍ２／ｓ）
【００３１】
【表１】
2008120996.tif 000003
【００３２】
（潤滑油組成物の調製）
表２に示す配合及び製法により、実施例１〜４、比較例１〜４を調製した。
ポリジメチルシロキサンの平均粒子径（μｍ）については、ＰＩＤＳ（Polarization
Intensity Differential Scattering Technology：偏光散乱強度差）を利用したＢｅｃｋｍａｎ  Ｃｏｌｏｕｒ  ＬＳ１３３２０測定器によって測定した。
【表２】
2008120996.tif 000004
【００３３】
（試験１：泡立ち試験・ＪＩＳ法）
上記実施例１〜４、比較例１〜４の潤滑油組成物について、ＪＩＳ  Ｋ２５１８に規定する泡立ち試験によって泡立ち度を測定し、消泡効果の評価を行った。
（１）上記６０℃に加温し、２００ｒｐｍで１５分間攪拌して調製した直後の潤滑油組成物について、シーケンスＩ、シーケンスII、シーケンスIIIの泡立ち度を測定した。
シーケンスＩ：２４±０.５℃の泡立ち度。
シーケンスII：９３±１℃の泡立ち度。
シーケンスIII：シーケンスIIの９３±１℃の泡立ち度の測定後、２４±０.５℃に降温しての泡立ち度。
泡立ち度の表示方法：１０ｍｌ単位で表示、１０ｍｌ以下の場合はトレース（Ｔｒ）、液面が見える場合はゼロ（０）と表示する。
（２）同上１日経過後の潤滑油組成物について、シーケンスＩ、シーケンスII、シーケンスIIIの泡立ち度を測定した。
（３）同上７日経過後の潤滑油組成物について、シーケンスＩ、シーケンスII、シーケンスIIIの泡立ち度を測定した。
（４）同上１月経過後の潤滑油組成物について、シーケンスＩ、シーケンスII、シーケンスIIIの泡立ち度を測定した。
【００３４】
（試験２：泡立ち試験・ミキサー法）
油中の消泡性については，上記６０℃に加温し、２００ｒｐｍで１５分間攪拌して調製した潤滑油組成物の１月経過後のものについて、市販のミキサーを利用して実験を行った。先ず、ガラス製のミキサー容器に予めｍｍ単位で目盛りを付け、２００ｍＬの試料をミキサーに入れて２分間攪拌し、ミキサーの回転を停止する。
（１）ミキサーの回転停止直後から１０秒後の泡層の厚さ（ｍｍ）を計測した。
（２）ミキサーの回転停止直後から１分後の泡層の厚さ（ｍｍ）を計測した。
（３）ミキサーの回転停止直後から２分後の泡層の厚さ（ｍｍ）を計測した。
【００３５】
（試験結果）
試験１及び試験２の結果を表３及び表４に示す。
【表３】
2008120996.tif 000005
【００３６】
【表４】
2008120996.tif 000006
【００３７】
（考察）
実施例１のポリジメチルシロキサン３ｐｐｍとポリアクリレート消泡剤０．０２重量％の組み合わせでは、ＪＩＳ法の調整直後から１ヶ月後に至る泡立ち試験結果と共に、１ヶ月後のミキサー法による泡立ち試験による油中の消泡効果も優れている。
実施例２や実施例３の結果に示すように、実施例１のポリジメチルシロキサン分散液の溶媒の灯油に替えてＰＡＯ（低粘度のポリα−オレフィン）や軽油を溶媒として使用した場合においても、実施例１とほぼ同等の消泡性を長期間維持することができることが判る。
実施例４のように、実施例１の基油をグループ２からグループ３に替えたものでも、ＪＩＳ法の泡立ち試験およびミキサー法の泡立ち試験のいずれにおいても良好な消泡性を示した。
比較例１のグループ２の基油を使用したギヤオイルは消泡剤成分を全く含まないため、ＪＩＳ法の泡立ち試験で調製直後において、特にシーケンスI、シーケンスIIIの泡立ち度が大きく、商品価値が低いことが判る。なお、調製直後の結果が悪かったので、１日後、７日後、１月後の試験は行なっていない。
また、比較例２のグループ３の基油を使用したギヤオイルも消泡剤成分を全く含まないため、ＪＩＳ法の泡立ち試験で調製直後において、特にシーケンスI、シーケンスII、シーケンスIIIの順に泡立ち度が大きく、商品価値が低いことが判る。なお、調製直後の結果が悪かったので、同じく１日後、７日後、１月後の試験は行なっていない。
比較例３のように，ポリジメチルシロキサン分散液を添加したものでは、比較例１に比べて相当程度の消泡効果が得られているが、特にミキサー法の泡立ち試験において未だ充分な結果が得られていない。また、比較例４においても、特にミキサー法による泡立ち試験において未だ充分な結果が得られていない。
上記の結果より、ポリジメチルシロキサンとポリアクリレート消泡剤の添加量には相互依存性があり、基油としてグループ２やグループ３を使用した場合にも両者を適切な量で併用すると優良な消泡性が得られることが判った。